(57)【要約】【課題】  一対の撮像部の視差調節、及び焦点調節ができ、立体画像の撮像を可能とするカメラ付き携帯端末をローコストに提供する。【解決手段】  カメラ付き携帯電話１の本体部２は、筐体１１，１２と、筐体１１，１２を回動自在に連結するヒンジ部１３とからなる。撮像部２１，２２は、筐体１１，１２の側面１１ａ，１２ａに設けられている。立体画像撮像モード下で撮像を行うときには、本体部２を折り畳み、又は展開することにより撮像部１１，１２間の距離を変更し、撮像部２１，２２で撮像される画像の視差を調節する。筐体１１，１２、ヒンジ部１３には、間隔保持突起部３７〜３９が設けられている。焦点調節ダイヤル３３を回転操作すると間隔保持突起部３７〜３９の突出量が変化し、焦点調節が行われる。【選択図】        図３
2005250396.tif 000002
【特許請求の範囲】
【請求項１】
第１の筐体及び第２の筐体がヒンジを介して折り畳み及び展開可能に形成された本体部と、この本体部に設けられた複数個の撮像部とからなるカメラ付き携帯端末において、
前記複数個の撮像部は、前記第１及び第２の筐体のそれぞれの側面に固定又は着脱自在に取り付けられる第１及び第２の撮像部からなり、前記第１及び第２の撮像部により撮像され、視差を持った２つの画像を１つの立体画像として合成する立体画像合成手段を備えており、前記本体部を折り畳み又は展開することにより、前記第１及び第２の撮像部間の距離を変更して前記第１及び第２の撮像部により撮像される２つの画像の視差を調節することを特徴とするカメラ付き携帯端末。
【請求項２】
前記第１及び第２の撮像部により２つの画像を撮像して１つの立体画像を得る立体画像撮像モードと、前記第１及び第２の撮像部の一方のみを使用して通常の撮像を行う通常撮像モードとを備え、これらのモードのいずれかに選択的に切り替えられることを特徴とする請求項１記載のカメラ付き携帯端末。
【請求項３】
前記第１及び第２の筐体は、略矩形の薄板状にそれぞれ形成され、前記第１及び第２の撮像部は、前記第１及び第２の筐体の一方の側面にともに配され、該一方の側面には、前記本体部から側方部へ突出し、且つその突出長さを調整自在とする少なくとも３つ以上の間隔保持突起部が固定、又は着脱自在に取り付けられており、前記立体画像を得るときには、前記本体部の一方の側面を下にして前記間隔保持突起部により前記本体部を支持し、且つ前記間隔保持突起部の前記突出長さを変更することにより被写体と前記撮像部との間隔を調整することを特徴とする請求項１又は２記載のカメラ付き携帯端末。
【請求項４】
前記間隔保持突起部には、照明光を照射する照明手段がそれぞれ設けられており、前記撮像部が被写体を撮像するときには、前記照明手段から被写体に向かって照明光を照射することを特徴とする請求項３記載のカメラ付き携帯端末。
【発明の詳細な説明】
【技術分野】
【０００１】
本発明は、複数の撮像部を有し、これら複数の撮像部を用いて撮像した複数の画像から１つの立体画像を得るカメラ付き携帯端末に関するものである。
【背景技術】
【０００２】
近年、ＣＣＤイメージセンサや、ＣＭＯＳイメージセンサなどの固体撮像素子のローコスト化、構造の簡易化が進んできていることから、デジタルカメラが普及してきており、最近ではこのデジタルカメラの機能を、携帯電話や、ＰＤＡ（携帯型情報端末）、パーソナルコンピュータなどの各種電子機器に内蔵したものが増えてきている。
【０００３】
例えば、特許文献１には、前述のデジタルカメラ機能を有するデジタルカメラ付き携帯電話が記載されている。さらにこの特許文献１記載のデジタルカメラ付き携帯電話では、撮影モードに接写専用機能を持たせており、この撮影モードのとき、接写位置で撮影レンズの焦点が合うように構成されている。また、照明手段を設けており、接写のとき、携帯電話自身で外光が遮られたときでも、この照明手段で被写体を照射することによって十分な照度で撮影できるようになっている。
【０００４】
ところで、特許文献２及び３には、一対の撮像部を備え、この撮像部によって同一の被写体に対して異なる角度から同時に撮像を行って、一対の画像データを取得することにより、立体画像の撮影を行う立体撮影装置（３Ｄカメラ）が記載されている。
【０００５】
【特許文献１】特開２００２−３７４４５０号公報
【特許文献２】特開平１０−９０８１４号公報
【特許文献３】特開２００１−１４２１６６号公報
【発明の開示】
【発明が解決しようとする課題】
【０００６】
ところで、携帯電話などでも、上述の立体撮影装置のような立体画像の撮影を可能にしたいという要望があり、立体画像の撮影に必要な一対の画像データを得るために、複数の撮像部を持つ携帯電話、又はＰＤＡ、パーソナルコンピュータが検討されている。しかしながら、立体画像を撮影するためには、２つの異なる視点から１つの被写体を撮像して一対の画像を得なければならず、これまでの携帯電話や、ＰＤＡ、パーソナルコンピュータに単に複数の撮像部を設けただけでは、そのような一対の画像を得ることはできない。
【０００７】
さらに、より高画質で立体感を向上させた立体画像を得たいという要望があり、この立体感を向上させるためには、一対の撮像部で撮像するときの視点の違い（視差）を調節する手段を備え、この視差調節手段によって被写体の大きさや距離に合わせて視差を調節しなけらばならない。また、立体画像でさらに接写位置の撮像を行いたいという要望もあり、そのためには、被写体に焦点を合わせる焦点調節手段も必要である。このような視差調節手段や、焦点調節手段として特許文献２又は３に記載されている構成を設けた場合、部品点数の増加、あるいは構造が複雑になるため、携帯電話などの装置全体のコストを増加させてしまう。
【０００８】
本発明は上記の事情を考慮してなされたもので、携帯電話などの電子機器で高画質な立体画像の撮像を可能としたものであり、且つ一対の撮像部の視差調節ができ、また接写を行うときの被写体との焦点調節を可能とするカメラ付き携帯端末を簡単な構造でローコストに提供することを目的とする。
【課題を解決するための手段】
【０００９】
本発明は、第１の筐体及び第２の筐体がヒンジを介して折り畳み及び展開可能に形成された本体部と、この本体部に設けられた複数個の撮像部とからなるカメラ付き携帯端末において、前記複数個の撮像部は、前記第１及び第２の筐体のそれぞれの側面に固定又は着脱自在に取り付けられる第１及び第２の撮像部からなり、前記第１及び第２の撮像部により撮像され、視差を持った２つの画像を１つの立体画像として合成する立体画像合成手段を備えており、前記本体部を折り畳み、又は展開することにより、前記第１及び第２の撮像部間の距離を変更して前記第１及び第２の撮像部により撮像される２つの画像の視差を調節することを特徴とする。なお、前記第１及び第２の撮像部により２つの画像を撮像して１つの立体画像を得る立体画像撮像モードと、前記第１及び第２の撮像部の一方のみを使用して通常の撮像を行う通常撮像モードとを備え、これらのモードのいずれかに選択的に切り替えられることが好ましい。
【００１０】
また、本発明では、前記第１及び第２の筐体は、略矩形の薄板状にそれぞれ形成され、前記第１及び第２の撮像部は、前記第１及び第２の筐体の一方の側面にともに配され、該一方の側面には、前記本体部から側方部へ突出し、且つその突出長さを調整自在とする少なくとも３つ以上の間隔保持突起部が固定、又は着脱自在に取り付けられており、前記立体画像を得るときには、前記本体部の一方の側面を下にして前記間隔保持突起部により前記本体部を支持し、且つ前記間隔保持突起部の前記突出長さを変更することにより被写体と前記撮像部との間隔を調整することを特徴とする。さらにまた、前記間隔保持突起部には、照明光を照射する照明手段がそれぞれ設けられており、前記撮像部が被写体を撮像するときには、前記照明手段から被写体に向かって照明光を照射することが好ましい。
【発明の効果】
【００１１】
本発明のカメラ付き携帯端末は、第１及び第２の筐体のそれぞれの側面に固定又は着脱自在に取り付けられる第１及び第２の撮像部を設け、この第１及び第２の撮像部により撮像され、視差を持った２つの画像を１つの立体画像として合成する立体画像合成手段を備えており、本体部を折り畳み、又は展開することにより、第１及び第２の撮像部間の距離を変更して第１及び第２の撮像部により撮像される２つの画像の視差を調節するので、撮像部で得られる画像の視差を容易に調節することが可能であり、且つカメラ付き携帯端末をローコストに提供することができる。
【００１２】
また、第１及び第２の撮像部は、第１及び第２の筐体の一方の側面にともに配され、該一方の側面には、本体部から側方部へ突出し、且つその突出長さを調整自在とする少なくとも３つ以上の間隔保持突起部が固定、又は着脱自在に取り付けられており、立体画像を得るときには、本体部の一方の側面を下にして間隔保持突起部により本体部を支持し、且つ間隔保持突起部の突出長さを変更することにより被写体と撮像部との間隔を調整しているので、被写体との焦点調節を容易に行うことができ、且つカメラ付き携帯端末をローコストに提供することができる。
【発明を実施するための最良の形態】
【００１３】
以下、図面に従って本発明に係るカメラ付き携帯端末の好ましい実施の形態について詳説する。図１は、本発明が実施されたカメラ付き携帯電話の外観斜視図である。カメラ付き携帯電話１の本体部２は、上部筐体１１、及び下部筐体１２と、これら筐体１１，１２を回動自在に連結するヒンジ部１３とから構成されている。
【００１４】
上部筐体１１及び下部筐体１２には、一対の撮像部２１，２２がそれぞれ設けられており、カメラ付き携帯電話１はこの撮像部２１，２２で被写体を撮像し、画像を記録する。この撮像部２１，２２は、その撮像光軸が略平行となるように配置されている。ヒンジ部１３には、カメラ付き携帯電話１の使用時に、上部筐体１１と下部筐体１２とが所定の角度で係止されるように、クリック機構（図示せず）が設けられている。本体部２は、ヒンジ部１３を介して回動させることにより、上部筐体１１と下部筐体１２とを展開及び折り畳み可能となっており、カメラ付き携帯電話１の非使用時には、上部筐体１１と下部筐体１２とが平行となるように折り畳まれる。
【００１５】
さらに、ヒンジ部１３には、本体部２の折り曲げ角度、すなわち筐体１１，１２がヒンジ部１３を中心に交差する角度α1 （図２参照）を検出するエンコーダ２３（図６参照）が設けられている。エンコーダ２３としては、フォトセンサなどの光学式センサ、又は可変抵抗などから構成される。
【００１６】
筐体１１，１２は、ともに略矩形の薄板形状に形成されており、それらの一方且つ同じ側の側面１１ａ，１２ａに第１及び第２の撮像部２１，２２がそれぞれ配置されている。また、上部筐体１１の正面１１ｂにはＬＣＤパネル２６及び受話スピーカ２７が、上面１１ｃにはアンテナ２８が配置されており、下部筐体１２の正面１２ｂには操作部３１及び送話マイク３２が、他方の側面１２ｃには、焦点調節ダイヤル３３が配置されている。さらに下部筐体１２の下面１２ｄには、パーソナルコーンピュータなどの外部機器とケーブル接続するためのソケット３４、及びメモリーカード３５（図６参照）が装填されるメモリカードスロット３６が設けられている。
【００１７】
アンテナ２８は、通話や電子メールサービス、インターネット接続サービスを利用する際に他の携帯電話やインターネットサーバからの電波信号を受信するとともに、カメラ付き携帯電話１から発信される電波信号を外部に送信する。受話スピーカ２８は、通信相手の音声や着信音などを出力する。ＬＣＤパネル２６には、メニュー画面や着信相手の電話番号などの各種情報、撮像部２１，２２により得られたスルー画像や、メモリカードに記録された画像が表示される。送話マイク３２は、話し手の音声を電気的な音声信号に変換して、アンテナ２８を介して通話相手に送信する。
【００１８】
操作部３１は、選択キー３１ａ、シャッタボタン３１ｂや、ダイヤルキー３１ｃなどからなる。選択キー３１ａは、各種メニューの選択・設定などに使用される。このカメラ付き携帯電話１は、後述するように立体画像撮像モードと通常画像撮像モードとの２種類の撮像モードを備え、いずれか一方のモードを選択して被写体の撮像を行うことができるようになっており、これらの撮像モードの選択は選択キー３１ａを操作して行う。また、選択キー３１ａは、撮像部２１，２２による被写体の撮像操作にも使用される。シャッタボタン３１ｂは、撮像部２１，２２により撮像を行うときのレリーズ操作に使用する。さらにまた、ダイヤルキー３１ｂは、電話番号や電子メールの文章などを入力する際に操作される。
【００１９】
筐体１１，１２と、ヒンジ部１３には、第１、第２及び第３間隔保持突起部３７，３８，３９がそれぞれ設けられている。この間隔保持突起部３７〜３９は、外形が全て同じ略円筒形状に形成され、本体部２の同じ一方側、すなわち、筐体１１，１２の一方の側面１１ａ，１２ａと、ヒンジ部１３の一方の側面１３ａとにそれぞれ配置されており、本体部２の側方へ向かって突出している。
【００２０】
このカメラ付き携帯電話１では、立体画像撮像モード下で撮像を行うとき、第１及び第２の撮像部２１，２２をともに使用し、視差のある２つの画像、すなわち、１つの被写体に対して視点の位置が異なる２つの画像を撮像し、この２つの画像を合成して１つの立体画像（３次元画像）を得る。通常撮像モード下では、撮像部２１，２２のうちいずれか一方、例えば第１の撮像部２１のみを使用して被写体を撮像し、通常画像（２次元画像）を得る。
【００２１】
立体画像撮像モード下で撮像を行うときには、第１及び第２撮像部２１，２２の間の距離を変更することによって、第１及び第２の撮像部２１，２２で撮像される画像の視差を変更することができる。この第１及び第２撮像部２１，２２の間の距離を変更する手段としては、図２に示すように、本体部１１を折り畳み、又は展開することによって行う。すなわち、被写体が遠距離にあるときには、図２（Ａ）の遠距離撮像形態に示すように、筐体１１，１２がヒンジ部１３を中心にして交差する角度α1 を広く、例えば１８０度になるように本体部１１を展開して立体画像の撮像を行う。これによって、第１及び第２撮像部２１，２２の間の距離Ｌ1 は長くなるので、第１及び第２撮像部２１，２２で撮像される画像の視差が大きくなる。
【００２２】
そして、被写体が近距離にあるときには、図２（Ｂ）の近距離撮像形態に示すように、筐体１１，１２がヒンジ部１３を中心にして交差する角度α1 を狭く、例えば６０度になるように本体部１１を折り畳み、又は展開して立体画像の撮像を行う。これによって、第１及び第２撮像部２１，２２の間の距離Ｌ1 は短くなるので、第１及び第２撮像部２１，２２で撮像される画像の視差が小さくなる。このようにして、本体部１１を折り畳み、又は展開することによって、第１及び第２撮像部２１，２２で撮像される画像の視差を被写体の距離に合わせて調節することができる。なお、筐体１１，１２が交差する角度α1 を調節する機構として、上述したような近距離撮像形態と遠距離撮像形態の２段階に調節可能なように、近距離撮像形態及び遠距離撮像形態に合わせた角度位置でヒンジ部１３のクリック機構が係止されるように設定してもよいし、被写体の距離に応じてさらに多数の段階を設定して、その段階に合わせた角度位置となるようにクリック機構の係止位置を設定してもよい。
【００２３】
さらにこのカメラ付き携帯電話１では、立体画像撮像モードで、小さな物体や、平面的な写真及び新聞などの印刷物も撮像して立体画像を得られるように接写位置の撮像が可能となっている。
【００２４】
図３は、立体画像撮像モード下で接写位置の撮像を行うときの使用形態である。なお、この接写撮像形態を示す図３では、写真などの印刷物を被写体Ａとして図示している。そしてこの接写撮像形態では、本体部２の一方の側面を下方に向ける。すなわち、筐体１１，１２及びヒンジ部１３の一方の側面１１ａ，１２ａ，１３ａを下方に向けて、間隔保持突起部３７〜３９を床面４０に接地させて本体部２を支持させる。これによって、間隔保持突起部３７〜３９の軸長の分だけ、第１及び第２撮像部２１，２２と床面４０との距離を一定間隔離すことができる。さらに、上述したように、立体画像撮像モード下で近距離の撮像を行うときには、図２（Ｂ）に示す近距離撮像形態となっており、筐体１１，１２が交差する角度α1 を狭くしているので、間隔保持突起部３７〜３９が３角形の頂点に位置するように配置され、安定して本体部２を支持することができる。そして、被写体Ａを床面４０に載置し、且つ、第１及び第２の撮像部２１，２２の中間に被写体Ａが位置するようにセットすると、被写体Ａと、第１及び第２撮像部２１，２２の間の距離が接写位置での撮像に適した距離になり、立体画像撮像モード下での接写位置の撮像を行うことができる。
【００２５】
さらに間隔保持突起部３７〜３９には、照明部４１が設けられている。照明部４１は、ＬＥＤなどから構成され、照明光を照射する。間隔保持突起部３７〜３９は、筐体１１，１２及びヒンジ部１３に対して軸方向にスライド自在、且つ中心軸に対して回転自在に取り付けられているので、間隔保持突起部３７〜３９を中心軸に対して回転させると、照明部４１も回転し、照明光の向きを変更することができる。
【００２６】
本体部２にはさらに、突出量調整機構４５（図４，５参照）が、内蔵されており、焦点調節ダイヤル３３を操作することによって、この突出量調整機構４５が連動して第１及び第２撮像部２１，２２の焦点調節が行われる。
【００２７】
突出量調整機構４５は、詳しくは図４及び図５に示すような構成となっている。突出量調整機構４５は、間隔保持突起部３７〜３９、焦点調節ダイヤル３３と一体に形成されたウォームホイール４６、このウォームホイール４６と噛合するウォームギア４７、このウォームギア４７と一体に形成されたリードスクリュー４８、移動部材４９、及び支持フレーム５０とからなる。支持フレーム５０は、細長の薄板状に形成された第１及び第２支持部材５１，５２と、この第１及び第２支持部材５１，５２を回動自在に連結するヒンジ部５３とからなる。この支持フレーム５０の第１及び第２支持部材５１，５２は、筐体１１，１２の内部に組み込まれており、ヒンジ部５３は、本体部２のヒンジ部１３の内部に組み込まれている。これによって、本体部１１を展開、又は折り畳むと、それに従動して第１及び第２支持部材５１，５２がヒンジ部５３を介して回動し、支持フレーム５０が展開、又は折り畳まれる。また、リードスクリュー４８には、移動部材４９が螺合しており、リードスクリュー４８が回動すると、移動部材４９はリードスクリュー４８のリードに従って進退移動する。
【００２８】
支持フレーム５０は、第２支持部材５１に形成された係合ボス５４に移動部材４９が係合しており、第１，第２支持部材５１，５２及びヒンジ部５３に形成された係合穴５１ａ，５２ａ，５３ａに間隔保持突起部３７〜３９がそれぞれ係合している。これにより、支持フレーム５０は、移動部材４９の進退移動を間隔保持突起部３７〜３９に伝達する。
【００２９】
焦点調節ダイヤル３３を回転操作すると、ウォームホイール４６は、焦点調節ダイヤル３３と一体になって回動し、この回動がウォームホイール４６からウォームギア４７へ角度を９０°変換して伝達される。ウォームギア４７からリードスクリュー４８に回動が伝達されるとリードに従って移動部材４９が進退し、この移動部材４９の進退が支持フレーム５０を介して間隔保持突起部３７〜３９に伝達されるので、間隔保持突起部３７〜３９が筐体１１，１２及びヒンジ部１３に対して進退する。これによって、上述した接写撮像形態のときには、焦点調節ダイヤル３３を回転操作すると、間隔保持突起部３７〜３９が本体部１１に対して突出する長さが変更されるので、第１及び第２撮像部２１，２２と床面４０との距離が変更される。すなわち、被写体Ａと第１及び第２撮像部２１，２２の距離が変化するので、被写体Ａに対する第１，第２撮像部２１，２２の焦点調節を行うことができる。
【００３０】
カメラ付き携帯電話１の電気的構成を示す図６において、ＣＰＵ６０は、カメラ付き携帯電話１の全体の動作を統括的に制御する。このＣＰＵ６０には、データバス６１を介して、上述した撮像部２１，２２，操作部３１、エンコーダ２３、照明部４１の他に、受話スピーカ２７および送話マイク３２で入出力される音声に対してノイズ除去などの各種処理を施す音声処理回路６３、ＬＣＤパネル２６の表示制御を行うＬＣＤドライバ６４、メモリカードスロット３６を介してメモリカード３５へのデータの入出力制御を行うメディアコントローラ６６、アンテナ２８を介して電波信号の送受信を行う無線通信Ｉ／Ｆ６７、ソケット３４を介して外部機器とのデータの送受信を行う外部通信Ｉ／Ｆ６８が接続されている。
【００３１】
第１撮像部２１は、第１撮像レンズ６９及びこの第１撮像レンズ６９の背後に位置する第１ＣＣＤ７０からなる。この第１ＣＣＤ７０は、第１撮像レンズ６９によって結像された被写体光を光電変換し、撮像信号として出力する。信号処理回路７１は、第１ＣＣＤ７０から出力された撮像信号に対して、サンプリング、増幅、Ａ／Ｄ変換を施し、デジタルの画像データを出力する。信号処理回路７１から出力された画像データは、データバス６１を介してフレームメモリ７２に一旦格納される。なお、第１ＣＣＤ７０は、図示しないタイミングジェネレータによって動作制御される。
【００３２】
また、第２撮像部２２も、第１撮像部２１と同様に第２撮像レンズ７４、第２ＣＣＤ７５からなり、第２撮像レンズ７４で結像された被写体光が撮像信号として第２ＣＣＤ７５から出力される。そして第２ＣＣＤ７５から出力された撮像信号も信号処理回路７１で画像データとして出力され、フレームメモリ７２に一旦格納される。
【００３３】
さらにデータバス６１には、立体画像処理回路７６が接続されている。立体画像処理回路７６は立体画像撮像モード下で画像記録を行う時に、第１ＣＣＤ７０及び第２ＣＣＤ７５にて取得され、フレームメモリ７２に一旦格納された一対の画像データに対して、合成処理等の所定の処理を施すことにより、立体画像データに変換する。そして立体画像処理回路７６で作成された立体画像データは、フレームメモリ７２に再度一旦格納される。
【００３４】
フレームメモリ７２に一旦格納された画像データ及び立体画像データは、ＬＣＤドライバ６４を介してＬＣＤパネル２６にスルー画像として表示される。あるいは、シャッタレリーズ後、メディアコントローラ６６及びメモリカードスロット３６を介してメモリカード３５に記録される。また、データバス６１には、ＲＯＭ７７が接続されている。ＲＯＭ７７には、プログラムや各種の設定情報等が記憶されている。
【００３５】
上記構成の作用について、図７に示すフローチャートに沿って説明する。カメラ付き携帯電話１を用いて撮像を行うときには、先ず、選択キー３１ａを操作して、複数の使用モードの中から撮像モードに切り替える。なお、撮像モードを選択せず、再生モードを選択したときには、メモリカード３５に記録された画像データが読み出され、通常画像、又は立体画像がＬＣＤパネル２６に表示される。
【００３６】
次に、撮像モードのうち、さらに通常撮像モードと、立体撮像モードとのいずれかを選択する。通常撮像モードが選択されたときには、第１撮像部２１のみが起動して通常撮像が可能となる。
【００３７】
そして、立体画像撮像モードが選択されたときには、第１及び第２撮像部２１，２２がともに起動状態となり、撮像部２１，２２から得られた画像データがスルー画像としてＬＣＤパネル２６に表示される。次に使用者は、被写体の距離に合わせて本体部２の筐体１１，１２が交差する角度α1 を変更して、撮像部２１，２２の間の距離Ｌ1 を変更する。このとき、本体部２の角度α1 がエンコーダ２３によって検出される。ＣＰＵ６０は、エンコーダ２３で検出された本体部２の角度α1 から、本体部２が、遠距離撮像形態、及び近距離撮像形態のいずれかの形態であるかを検出する。そして近距離撮像形態であることを検出すると、照明部４１がオン状態となり、照明光が被写体へ照射されるようになる。なお、この近距離撮像形態で接写位置の撮像を行うときには、図３に示すように間隔保持突起部３７〜３９を下方に向けて接写撮像形態にセットする。このとき、間隔保持突起部３７〜３９を回転させて照明部４１が被写体へ照明光を照射するように調節する。また
遠距離撮像形態であることを検出すると、照明部４１がオフ状態となる。
【００３８】
さらに、近距離撮像形態で接写撮像を行うときには、焦点調節ダイヤル３３を回転操作して、突出量調整機構４５を作動させ、間隔保持突起部３７〜３９の突出量を調節する。使用者は、ＬＣＤパネル２６に表示される画像を見ながら、焦点調節の状態を確認し、焦点が合った時点で、焦点調節ダイヤル３３を停止させる。これにより、撮像部２１，２２の焦点が被写体に合った状態となり、使用者は、シャッタボタン３１ｂを押圧してレリーズ操作を行う。そして、撮像部２１，２２から視差を持った一対の画像が出力され、この一対の画像から立体画像処理回路７６が立体画像を作成し、この立体画像の画像データがメモリカード３５に記録される。そして、レリーズ操作の後、一定時間だけ、この立体画像がＬＣＤパネル２６に表示される。使用者は、ＬＣＤパネル２６に表示された立体画像が良いと判断すれば、そのままメモリカード３５に記録させておき、画質が悪いなど撮り直したいときには、そのデータを削除する。なお、このとき削除を行うか否かのメニューをＬＣＤパネル２６に表示させておき、選択キー３１ａで選択できるようにしてもよい。そして、メモリーカード３５に立体画像の画像データが書き込まれると一回の撮像が完了する。また、使用者が撮像を終了したいときには、選択キー３１ａにより使用モードが切り替えられ、撮像部２１，２２は停止状態となる。
【００３９】
このように簡単な構成で、視差の異なる一対の画像を撮像して立体画像を得ることが可能であり、従来の携帯電話を生かした構造で、さらに撮像される一対の画像の視差を調節する調節機構を備えることができるので、従来機種と多数の部品を共有でき、ローコスト化を図ることができる。さらに、接写位置での立体画像の撮像が可能な接写撮像機能を有し、間隔保持突起部３７〜３９の突出量を調節するだけで、接写撮像形態での容易な焦点調節を行うことが可能になっている。さらにまた、間隔保持突起部３７〜３９に設けた照明部４１を被写体に向けて照明できるので、カメラ付き携帯電話１自身により外光が遮られてしまう場合でも、十分な照度で均等且つ効率良く被写体を照明し、撮像することができる。
【００４０】
なお、上記実施形態においては、撮像部２１，２２、及び間隔保持突起部３７〜３９は本体部２に固定されているが、これに限らず、筐体１１，１２及びヒンジ部１３に対して着脱自在に取り付け可能としてもよく、照明部４１も間隔保持突起部３７〜３９に固定とする構成に限らず、間隔保持突起部３７〜３９に対して着脱自在に取り付け可能としてもよい。
【００４１】
また、上記実施形態においては、カメラ付き携帯電話を例に上げて説明しているが、これに限らず、携帯電話、又はＰＤＡ、パーソナルコンピュータなどに適用してもよい。
【図面の簡単な説明】
【００４２】
【図１】本発明を適用したカメラ付き携帯電話を示す斜視図である。
【図２】カメラ付き携帯電話の遠距離撮像形態（Ａ）、及び近距離撮像形態（Ｂ）を示す側面図である。
【図３】カメラ付き携帯電話の接写撮像形態を示す斜視図である。
【図４】カメラ付き携帯電話の要部断面図である。
【図５】突出量調整機構を示す斜視図である。
【図６】カメラ付き携帯電話の電気的構成を示すブロック図である。
【図７】本発明を適用したカメラ付き携帯電話の撮影処理を説明するフローチャートである。
【符号の説明】
【００４３】
１  カメラ付き携帯電話
２  本体部
１１，１２  筐体
１３  ヒンジ部
２１  第１撮像部
２２  第２撮像部
３３  焦点調節ダイヤル
３７〜３９  間隔保持突起部
４１  照明部
４５  突出量調整機構
【図１】
2005250396.tif 000003
【図２】
2005250396.tif 000004
【図３】
2005250396.tif 000005
【図４】
2005250396.tif 000006
【図５】
2005250396.tif 000007
【図６】
2005250396.tif 000008
【図７】
2005250396.tif 000009